(57)【要約】【課題】空気圧縮機を用いた作業を効率的に行う。【解決手段】圧縮空気を生成する圧縮機部と、上記圧縮機部を駆動するモータと、上記圧縮機部によって生成された圧縮空気を貯留するタンク部と、上記モータの起動／停止を複数の運転モードにおいて制御する制御部と、上記運転モードを作業者に報知する報知部２ａ、電源スイッチ２ｂ、およびモード切替えスイッチ２ｃを備えた操作パネル２と、を有する空気圧縮機である。さらに、上記空気圧縮機は、上記圧縮機部の上方に配置された把持部を有しており、操作パネル２の報知部２ａは、文字を表示するデジタル表示パネル２ａａと、複数色の発光素子からなる発光ダイオード２ａｂ，２ａｃとを含み、デジタル表示パネル２ａａによる文字情報と発光ダイオード２ａｂ，２ａｃによる知覚情報とにより上記空気圧縮機の状態を報知する。【選択図】図４
2016102478.tif 000002
【特許請求の範囲】
【請求項１】
圧縮空気を生成する圧縮機部と、
前記圧縮機部を駆動するモータと、
前記圧縮機部によって生成された圧縮空気を貯留するタンク部と、
前記モータの起動／停止を複数の運転モードにおいて制御する制御部と、
前記タンク部内の圧力および前記運転モードを作業者に報知する報知部、前記モータの起動／停止を操作する電源スイッチ、および前記運転モードを切替えるモード切替えスイッチを備えた操作部と、
を有し、
前記操作部の前記報知部は、文字を表示する文字表示部と、複数色からなる発光ダイオードとを含み、前記文字表示部による第１情報と前記発光ダイオードによる第２情報とにより空気圧縮機の状態を報知する、空気圧縮機。
【請求項２】
前記文字表示部による前記第１情報と前記発光ダイオードによる前記第２情報とを同期して報知する、請求項１に記載の空気圧縮機。
【請求項３】
前記モード切替えスイッチが操作されると、前記文字表示部では、圧力表示を運転モード表示に切り替え、選択された運転モードを示す文字が所定時間表示され、前記所定時間経過した後、再び前記圧力表示に切り替わる、請求項１に記載の空気圧縮機。
【請求項４】
前記文字表示部は、７セグメント発光ダイオードが設けられたデジタル表示パネルである、請求項１に記載の空気圧縮機。
【請求項５】
前記デジタル表示パネルに複数色の発光ダイオードが設けられている、請求項４に記載の空気圧縮機。
【請求項６】
前記デジタル表示パネルの前記７セグメント発光ダイオードにおいて、前記運転モードごとに発光間隔または発光時間を変える、請求項４に記載の空気圧縮機。
【請求項７】
前記文字表示部は、少なくとも２桁の数字を表示する、請求項１に記載の空気圧縮機。
【請求項８】
前記空気圧縮機は、前記タンク部に貯留した圧縮空気の圧力を検出する圧力検出部を備え、
前記制御部は、前記圧力検出部によって検出された前記タンク部内の圧力値に基づいて前記モータを制御する、請求項１に記載の空気圧縮機。
【請求項９】
前記圧縮機部の上方に配置される把持部を有し、
前記把持部は、前記空気圧縮機の上面部において、前記空気圧縮機の重心の上方の位置に配置されている、請求項１に記載の空気圧縮機。
【請求項１０】
前記文字表示部にセキュリティカード無しで運転できる残回数を表示させる、請求項1に記載の空気圧縮機。
【発明の詳細な説明】
【技術分野】
【０００１】
本発明は、空気圧縮機（コンプレッサ）に関する。
【背景技術】
【０００２】
建築現場等では、圧縮空気の圧力で釘やネジを木材等に打ち込こむ携帯型の空気工具を使用することが多い。屋内外で使用される携帯用の空気工具は、搬送可能な空気圧縮機で生成した圧縮空気の圧力を空気タンクに取付けた減圧弁により適正圧力に調整し、その後、エアホースを介して空気工具に供給し、空気圧力を動力に変換することで釘やネジを打ち込むように構成されている。
【０００３】
そして、現在、作業内容に応じた多種多様の空気工具が存在しており、さらには作業内容によって必要とされる圧力値や消費量もさまざまである。
【０００４】
空気圧縮機ではこのようなユーザのニーズに対応するため、モータの運転停止／再起動圧力値やモータの回転数が異なる複数の運転モードが予め設定されており、ユーザは自分の作業に最も適した運転モードを選択することで製品の寿命を向上させ、効率よく作業を行うことができる。
【０００５】
また、近年ではタンク内圧力の高圧化により、小さい容量のタンクでも作業に十分な空気量を蓄えることができるため、空気圧縮機はより小形・軽量化になり利便性が高まっている。
【０００６】
さらに、動力工具等に用いられる空気圧縮機として、可搬型のものが知られている。可搬型の空気圧縮機は、建築現場等に持ち込んで使用されることが比較的多い。ただし、空気圧縮機は比較的重いことから、建築現場等では、日中の工事が終了すれば、現場に残しておくことが多く、その結果、夜間や休日等に作業者が不在となる状況で盗難に遭うことがある。
【０００７】
なお、把持部が本体部の重心の上方に配置されている空気圧縮機が、特許文献１（特開２０１３−４０５８６号公報）に記載されている。
【０００８】
また、ハウジングの上部にハンドルが設けられた空気圧縮機が、特許文献２（特開２０１３−１５５６７７号公報）に記載されている。
【先行技術文献】
【特許文献】
【０００９】
【特許文献１】特開２０１３−４０５８６号公報
【特許文献２】特開２０１３−１５５６７７号公報
【発明の概要】
【発明が解決しようとする課題】
【００１０】
複数の運転モードを備えた空気圧縮機において、作業者が適切な運転モードを選択したことを認知するためには、選択された運転モードを光や音等で報知する知覚情報と、選択された運転モードの内容を理解できる文字情報とを作業者が同時に認知できるように、作業者に報知することが必要である。
【００１１】
運転モードの内容を説明した文字情報は取り扱い説明書にも記載されているが、記載事項を覚えなくてはならず面倒である。よって、一般的には、複数のモードの切替えを報知する場合、本体の操作部に運転モードに対応した複数のＬＥＤを配置し、モードに応じて点灯した光による知覚情報と、その近傍には最低限の文字またはアイコン（絵文字）等で表した文字情報とを組み合わせて表示している。
【００１２】
しかしながら、近年の空気圧縮機は小形化され、また、運搬時の利便性を向上させるために、ハンドルが製品の中央に配置されていることが多い。このような小形空気圧縮機の場合、ハンドルが製品の中央部に位置し、また、カバー表面においても冷却用の風窓等が占める割合が多くなるので、操作部の面積は小さくなり、複数の運転モードを報知する複数のＬＥＤやそれに対応したモードの内容を表示する文字情報を操作面に配置する面積を取ることができない。
【００１３】
なお、複数の運転モードを音の知覚情報として報知する場合、音階や間隔等にて運転モードの違いを報知するが、作業環境や人によっては誤認識する場合がある。
【００１４】
そのため、片手で持ち運べるハンドルを備えた小形空気圧縮機の場合、運転ＯＮ／ＯＦＦ操作のみの最低限のモードしか採用することができず、空気圧縮機の能力は向上しても、多様な作業状態に合わせた適切な運転モードによる効率的な作業を行うことができないという課題が発生する。
【００１５】
本発明は、上述した課題を解決するためになされたものであり、効率的に作業を行うことができる空気圧縮機を提供することにある。
【課題を解決するための手段】
【００１６】
一実施の形態の空気圧縮機は、圧縮空気を生成する圧縮機部と、上記圧縮機部を駆動するモータと、上記圧縮機部によって生成された圧縮空気を貯留するタンク部と、上記モータの起動／停止を複数の運転モードにおいて制御する制御部と、上記タンク部内の圧力および上記運転モードを作業者に報知する報知部、上記モータの起動／停止を操作する電源スイッチ、および上記運転モードを切替えるモード切替えスイッチを備えた操作部と、を有し、上記報知部は、文字表示部と、複数色からなる発光ダイオードとを含み、上記文字表示部による第１情報と上記発光ダイオードによる第２情報とにより空気圧縮機の状態を報知する、ものである。
【発明の効果】
【００１７】
本発明によれば、空気圧縮機を用いた作業を効率的に行うことができる。
【図面の簡単な説明】
【００１８】
【図１】本発明の実施の形態の空気圧縮機の構造の一例を示す斜視図である。
【図２】図１に示す空気圧縮機を縦方向に切断した構造の一例を示す断面図である。
【図３】図１に示す空気圧縮機の制御系の一例を示すブロック図である。
【図４】図１に示す空気圧縮機の操作部の構造の一例を示す平面図である。
【図５】図１に示す空気圧縮機の操作部の報知内容の一例を示す情報図である。
【図６】図１に示す空気圧縮機の操作部における運転モード切替え時の報知内容の一例を示す情報図である。
【図７】図１に示す空気圧縮機の変形例の操作部の構造を示す平面図である。
【図８】図１に示す空気圧縮機の他の変形例の操作部の構造を示す平面図である。
【発明を実施するための形態】
【００１９】
以下、本発明の実施の形態を、図面を用いて詳細に説明する。
【００２０】
（実施の形態）
図１〜図３に示す本実施の形態の空気圧縮機１は、モータ駆動により作動するエアコンプレッサである。使用方法の一例としては、外部の交流電源５０（例えば仮設電源）から電源コード５１を介して電力の供給を受けて動作し、釘打機等の空気工具に圧縮空気を供給するものである。ただし、電源は、仮設電源に限定されるものではなく、家庭用の交流電源５０等から電力の供給を受けて動作させてもよい。
【００２１】
空気圧縮機１の構成について説明すると、圧縮空気を生成する圧縮機部４と、モータ３（例えば、三相交流ブラシレスモータ）を含み、かつ圧縮機部４を駆動する駆動部２６と、圧縮機部４によって生成された圧縮空気を貯留するタンク部５ａ，５ｂと、タンク部５ａ，５ｂに貯留した圧縮空気の圧力を検出する圧力センサ（圧力検出部）１４とを備えている。すなわち、タンク部５ａ，５ｂ内の圧力値は、圧力センサ１４によって検出される。
【００２２】
さらに、空気圧縮機１は、タンク部５ａ，５ｂ内の圧力値に基づいてモータ３の起動／停止を複数の運転モードにおいて制御する制御部９と、圧縮機部４とモータ３とタンク部５ａ，５ｂと制御部９とを含む空気圧縮機１のカバー１１の上面部１１ａに配置されたハンドル（把持部）１０とを備えている。詳細には、ハンドル１０は、片手持ちハンドルであり、圧縮機部４の上方に位置するカバー１１の上面部１１ａに配置されている。
【００２３】
したがって、空気圧縮機１は、作業者が片手でハンドル１０を把持して持ち運ぶことができる、小形でかつ可搬型のエアコンプレッサである。
【００２４】
なお、ハンドル１０は、図２に示すようにカバー１１の上面部１１ａにおいて空気圧縮機１の重心Ｇの上方に位置するように配置されている。すなわち、空気圧縮機１は、可搬型であるため、作業者が把持して持ち運ぶ際にバランスが取れるように、ハンドル１０が、空気圧縮機１の本体の重心Ｇの上方に配置されている。
【００２５】
空気圧縮機１の重心Ｇの位置は、空気圧縮機１の全ての部材のうち、重量が重い圧縮機部４とモータ３とからなる圧縮機ユニットの位置に影響される。
【００２６】
したがって、上記圧縮機ユニットを空気圧縮機１の本体の略中央に配置し、他の部材を上記圧縮機ユニットの前後や左右に配置して空気圧縮機１の全体の重量のバランスを取っている。
【００２７】
これにより、作業者が空気圧縮機１を持ち運ぶ際に、ハンドル１０を安定して把持して持ち運ぶことができ、空気圧縮機１の持ち運びを安全かつ容易に行うことができる。
【００２８】
また、図２に示すように、ハンドル１０を支持するブラケット１０ａは、空気圧縮機１の内部において、圧縮機部４とモータ３とからなる圧縮機ユニットに固定されている。つまり、ハンドル１０は、空気圧縮機１の中で、重量が大きな部材の上部に取り付けられている。本実施の形態の空気圧縮機１の場合、上記圧縮機ユニットに固定されたブラケット１０ａにハンドル１０が可動自在に支持されている。
【００２９】
これにより、空気圧縮機１において重量が重い部分が、直接ブラケット１０ａによって支持されており、したがって、カバー１１には大きな負荷がかかることなく、カバー１１が破損することを防止できる。
【００３０】
なお、ハンドル１０は、ブラケット１０ａに対して回動自在に取り付けられており、持ち運びの際には、図２に示すように起こし、持ち運び以外の時は、図１に示すように倒して収納可能なように取り付けられている。
【００３１】
また、図２に示すように、２つの圧縮空気用のタンク部５ａ，５ｂは、平行に配置されており、両者は、配管６を介して連通している。そして、それぞれのタンク部５ａ，５ｂの下方には、脚部１３が取り付けられている。
【００３２】
また、それぞれのタンク部５ａ，５ｂに貯溜された圧縮空気を外部に供給するための接続口となるエアソケット８が設けられており、さらに、外部に排出される圧縮空気の圧力を調整するための減圧弁７がタンク部５ａ，５ｂにそれぞれ連通して設けられている。なお、タンク部５ａ，５ｂの上部には、排水を行うための栓であるドレンコック１２が設けられている。
【００３３】
また、カバー１１の上面部１１ａの前面側には、タンク部５ａ，５ｂ内の圧力および運転モードを作業者に報知する図４に示すような報知部２ａ、モータ３の起動／停止を操作する電源スイッチ２ｂ、運転モードを切替えるモード切替えスイッチ２ｃ、および電源のロック／ロック解除を切替えるセキュリティ部２ｄ等のスイッチ類を備えた操作パネル（操作部）２が取り付けられている。なお、上記スイッチ類は、カバー１１から露出するように配置されている。
【００３４】
そして、これらの電源スイッチ２ｂやモード切替えスイッチ２ｃを操作することにより、モータ３の起動／停止指令やモータ回転数が入力される。あるいは、モータ３の駆動モードの切り替えを指示し、これらの操作のための操作信号を出力する。
【００３５】
また、操作パネル２のセキュリティ部２ｄでは、例えば、このセキュリティ部２ｄにセキュリティカードをかざすことで、図３に示すセキュリティ回路２８を動作させ、電源が入らないようにロックしたり、このロックを解除して電源が入る状態に戻したりすることができる。
【００３６】
次に、図３に示す空気圧縮機１の制御系の詳細について説明する。
【００３７】
空気圧縮機１は、例えば、仮設電源等の外部の交流電源５０から電源コード５１を介して電力の供給を受けて動作するものである。
【００３８】
まず、交流電源５０から制御部９に電力が供給され、制御部９がモータ３を駆動する。制御部９には、空気圧縮機１の運転操作を行うための操作パネル（操作部）２がケーブルによって接続されている。
【００３９】
なお、図４に示すように、操作パネル２には、空気圧縮機本体の電源ＯＮ／ＯＦＦを切り替える電源スイッチ２ｂと、運転時のモータ３の回転数を切り替えるモード切替えスイッチ２ｃと、各種情報を表示する報知部２ａとが設けられている。
【００４０】
そして、報知部２ａは、文字を表示するデジタル表示パネル（文字表示部）２ａａと、複数色の発光素子からなる発光ダイオード２ａｂ，２ａｃとを備えており、空気圧縮機１では、デジタル表示パネル２ａａによる文字情報（第１情報）と、発光ダイオード２ａｂ，２ａｃによる知覚情報（第２情報）とを用いて、作業者に対して運転モードや電源の状態（装置状態）を報知する。なお、上記知覚情報とは、視覚等の感覚器官から得た情報を、過去の学習・知識・経験によって編集したり活用したりした情報のことである。
【００４１】
また、操作パネル２に設けられた電源スイッチ２ｂとモード切替えスイッチ２ｃは、例えばタクト式スイッチであり、作業者が押圧している時はＯＮ、作業者が手を離すと自動的にＯＦＦとなるスイッチである。
【００４２】
また、図３に示すように、制御部９は、電源スイッチ２ｂからの運転指示信号、モード切替えスイッチ２ｃからのモード指示信号、および圧力センサ１４からの圧力検出信号に基づいてモータ３の駆動を制御する。この制御は、制御部９に搭載された演算部２２によって行われる。
【００４３】
さらに、制御部９は、空気圧縮機１の全体の動作を制御するものであり、電源部２１と、演算部２２と、電源電流検出部２３と、電圧検出部２４と、モータ電流検出部２５と、駆動部（インバータ）２６と、不揮発性メモリとしてのＥＥＰＲＯＭ（Electrically Erasable Programmable Read Only Memory)２７とを有している。
【００４４】
また、制御部９において、交流電源５０から電源コード５１を介して電源部２１に交流電力が供給される。電源部２１は、交流電源５０からの交流電力を直流電力に変換し、駆動部２６および演算部２２その他の各回路に適切な電圧を供給する。電源電流検出部２３は、電源部２１の電流を検出する。電圧検出部２４は、電源部２１の電圧を検出する。モータ電流検出部２５は、モータ３の駆動電流を検出する。
【００４５】
制御部９は、具体的には、貯留した圧縮空気の圧力を検出する圧力センサ（圧力検出部）１４と、圧力センサ１４により検出されたタンク部５ａ，５ｂ内の圧力値に合わせて、モータ３の起動／停止を予め設定されている複数段階の運転モードにおいて（分けて）制御する。さらに、制御部９は、図示されていないが、マイクロコンピュータから構成され、かつ演算、制御プログラムを実行する演算部（ＣＰＵ）２２、演算部２２の制御プログラム等を記憶するリードオンリメモリ（ＥＥＰＲＯＭ）２７、演算部２２の作業領域やデータの一時記憶領域等として利用されるランダムアクセスメモリ（ＲＡＭ）等の回路機能ブロックを含んでいる。
【００４６】
演算部２２は、具体的には、入力される各種情報（電源スイッチ２ｂからの運転指示信号およびモード切替えスイッチ２ｃからのモード指示信号）に基づき、駆動部２６を構成する各半導体スイッチング素子（例えばＦＥＴ（Field Effect Transistor)）をスイッチング駆動する。
【００４７】
スイッチングされる駆動部２６を介して電源部２１からモータ３に駆動電力が供給される。演算部２２は、ＥＥＰＲＯＭ２７に空気圧縮機１の運転ログデータ（運転モードや運転設定値、モータ３の回転数等）を記録し、またＥＥＰＲＯＭ２７から空気圧縮機１の運転ログデータを読み出す。タンク部５ａ，５ｂ内の空気圧力、運転状態、および運転モードは演算部２２がデジタル表示パネル２ａａに表示する。
【００４８】
次に、本実施の形態の空気圧縮機１の操作パネル２による運転モードの切替えや電源の状態の切替えの操作について説明する。
【００４９】
上述のように、操作パネル２には、制御部９と図示しない配線によって電気的に接続され、かつ駆動部２６を介してモータ３の起動／停止を操作する図４に示す電源スイッチ２ｂと、空気圧縮機１の運転モードを切替えるモード切替えスイッチ２ｃと、タンク部５ａ，５ｂ内の圧力および運転モードを作業者に報知する報知部２ａとが設けられている。
【００５０】
そして、報知部２ａには、タンク部５ａ，５ｂ内の圧力および運転状態や運転時に異常が発生した場合に異常の内容（文字情報）を作業者に報知する図４に示すデジタル表示パネル２ａａと、電源スイッチ２ｂと運転のモード切替えスイッチ２ｃとの選択状態（知覚情報）を報知するための少なくとも２色の発光体（発光素子）を備えた発光ダイオード（ＬＥＤ）２ａｂ，２ａｃとが設けられている。
【００５１】
すなわち、本実施の形態の空気圧縮機１は、デジタル表示パネル２ａａによる文字情報（第１情報）と、発光ダイオード２ａｂ，２ａｃによる知覚情報（第２情報）とによって、空気圧縮機１の状態（タンク部内の圧力や運転モード等の装置状態）を作業者に報知するものである。
【００５２】
例えば、電源スイッチ２ｂ用の発光ダイオード２ａｂは、赤と緑の２色の発光ダイオードにより構成され、図５に示すように、消灯、黄（緑＋赤の合成）、緑、赤の４つの点灯色を表示することができる。それぞれの色は、運転状態に対応しており、通電なし、通電待機、運転中、異常停止の４つの運転状態を発光ダイオード２ａｂによって、消灯（通電なし）、黄（通電待機）、緑（運転中）、赤（異常停止）として報知するように制御部９に予め設定されている。
【００５３】
この時、デジタル表示パネル２ａａでは、運転状態に対応して、表示無し（通電なし）、タンク部圧力表示（通電待機）、タンク部圧力表示（運転中）、エラー表示（異常停止）をそれぞれ表示している。
【００５４】
同様に、運転モードを切替えるモード切替えスイッチ２ｃ用の発光ダイオード２ａｃも、例えば赤と緑の２色の発光ダイオードを使用することで、図６に示すように、消灯、赤、黄（緑＋赤の合成）、緑の４つの点灯色を表示することができる。これにより、運転モードとしては、パワーモード、オートモード、省エネモード、静音モード等の４つの運転モードがあり、これらの運転モードに対応させて発光ダイオード２ａｃにおいても点灯色を切替えることができる。
【００５５】
すなわち、消灯（パワーモード）、赤（オートモード）、黄（省エネモード）、緑（静音モード）として報知するように制御部９に予め設定されている。
【００５６】
そして、デジタル表示パネル２ａａでは、それぞれの運転モードに対応して、Ｐ（パワーモード）、Ａ（オートモード）、Ｅ（省エネモード）、Ｓ（静音モード）をそれぞれ表示して報知することができる。
【００５７】
なお、それぞれの運転モードの空気消費は、パワーモード（Ｐ、消灯）が大、オートモード（Ａ、赤）が中、省エネモード（Ｅ、黄）が小であり、静音モード（Ｓ、緑）は、朝晩等に運転音を下げたい場合の運転モードである。
【００５８】
また、デジタル表示パネル２ａａは、少なくとも２桁の７セグメント表示の発光ダイオードを採用することが好ましく、制御部９に予め設定しておくことで、それぞれの装置状態に対応して英文字や数字を表示することができる。
【００５９】
通常の運転状態では、デジタル表示パネル２ａａは、タンク部５ａ，５ｂ内の空気圧力を２桁のＭＰａ単位で表示しており、運転途中や運転停止時に運転モード切替え用のモード切替えスイッチ２ｃを操作すると、デジタル表示パネル２ａａは圧力表示を運転モード表示に切替え、選択した運転モードを示す英文字が１〜２秒間点灯し、その後、再び圧力表示に切り替わる。
【００６０】
すなわち、運転途中や運転停止時にモード切替えスイッチ２ｃが操作されると、デジタル表示パネル（文字表示部）２ａａでは、圧力表示を運転モード表示に切替え、選択された運転モードを示す文字（例えば、Ｅ（省エネモード））が所定時間（例えば、１〜２秒間）表示され（点灯し）、その後、再び圧力表示に切り替わる。
【００６１】
その際、デジタル表示パネル２ａａによる文字情報と、発光ダイオード２ａｂ，２ａｃによる知覚情報とを同期させて報知することが好ましい。すなわち、デジタル表示パネル２ａａが運転モードを表示するのと同期して、報知用の発光ダイオード２ａｂ，２ａｃもその運転モードに対応した色を表示する。
【００６２】
例えば、パワーモード（消灯）で運転中に、モード切替えスイッチ２ｃにより運転モードを省エネモードに切替える操作を行うと、モード切替えスイッチ２ｃの発光ダイオード２ａｃが黄色に点灯し、かつ省エネモードを示す文字であるＥがデジタル表示パネル２ａａに１〜２秒間点灯される。そして、１〜２秒後、デジタル表示パネル２ａａの表示は、再び圧力表示に切り替わる。
【００６３】
このように本実施の形態の空気圧縮機１では、デジタル表示パネル２ａａの文字情報と発光ダイオード２ａｂ，２ａｃの色による知覚情報とが同時に作業者へ報知されるため、作業者の認知度向上を図ることができる。
【００６４】
すなわち、２つの発光ダイオード２ａｂ，２ａｃによる色の情報（知覚情報）と、７セグメント発光ダイオード（デジタル表示パネル２ａａ）による文字情報とにより、操作パネル２は、デジタル表示パネル２ａａと発光ダイオード２ａｂ，２ａｃのみで複数の運転モードを作業者に確実に報知することができる。
【００６５】
したがって、可搬型による小形の空気圧縮機１であっても作業内容に応じた効率的な運転モードを選択することができ、その結果、空気圧縮機１の機能性を向上させることができる。そして、空気圧縮機１を用いた作業を効率的に行うことができる。
【００６６】
なお、本実施の形態では、デジタル表示パネル２ａａに単色の７セグメント発光ダイオードを用いているが、多色（複数色）のドットタイプの発光ダイオードによる表示器を使用してもよい。これにより、表示できる文字情報や色の数を増加させることができ、アイコン（絵文字）等の記号であっても表示することが可能になる。
【００６７】
その結果、発光ダイオード２ａｂ，２ａｃの色の情報（知覚情報）とデジタル表示パネル２ａａの文字情報とを同時に切替えることにより、報知用の発光ダイオードの数を削減することができ、空気圧縮機１における更なる部品点数の削減による小形化と認知度向上とを図ることができる。
【００６８】
また、本実施の形態の空気圧縮機１は、最小限の部品点数で小形化を図った操作パネル２を用いて複数の運転モード等の装置状態の認知度を向上させることが目的であるため、図７の変形例の操作パネル２に示すように可能な限り文字情報を追加したものであってもよい。図７に示す操作パネル２では、発光ダイオード２ａｂ，２ａｃの色の情報（知覚情報：電源の状態および運転モード）を、色に対応させて明記したものである（Ａ部およびＢ部参照）。
【００６９】
図７に示す操作パネル２を用いることで、発光ダイオード２ａｂ，２ａｃの色の情報を作業者により明確に報知できるため、空気圧縮機１の機能性をさらに向上させることができ、かつ空気圧縮機１を用いた作業をさらに効率的に行うことができる。
【００７０】
なお、デジタル表示パネル２ａａに発光ダイオードを使用する場合、この発光ダイオードとして単色の発光ダイオードを用い、この発光ダイオードの発光間隔や発光時間を変えるようにしてもよく、これにより、作業者に空気圧縮機１の電源の状態や運転モード等の情報を報知することもできる。
【００７１】
また、本実施の形態では、空気圧縮機１におけるスイッチ部（電源スイッチ２ｂ）の知覚情報とデジタル表示パネル２ａａによる文字情報とで、空気圧縮機１の各種装置状態を表示するようにしたため、電源スイッチ２ｂとモード切替えスイッチ２ｃおよびデジタル表示パネル２ａａの配置を一箇所にまとめなくてもよい。
【００７２】
例えば、図４に示すＶ字型の操作パネル２のように、中央に配置されたセキュリティ部２ｄの左右両側に、電源スイッチ２ｂとモード切替えスイッチ２ｃとを分けて配置した場合であっても、各スイッチを操作した時の選択情報をデジタル表示パネル２ａａにおいてもそれを文字情報として同期して表示することにより、作業者が容易に認知することができる。
【００７３】
その結果、空気圧縮機１において、カバー１１の限られたスペースの中で操作パネル２を配置する設計上の自由度を向上させることができ、小形化で採用できなかった複数の運転モードの設定を容易に行うことができる。
【００７４】
なお、図８は、他の変形例の操作パネル２であり、電源スイッチ２ｂとその発光ダイオード２ａｂ、モード切替えスイッチ２ｃとその発光ダイオード２ａｃ、およびデジタル表示パネル２ａａを最小限の大きさでコンパクトにレイアウトしたものを拡大して示したものである。
【００７５】
図８に示す操作パネル２を用いても、図４に示す操作パネル２と同様の操作を空気圧縮機１において行うことができるため、空気圧縮機１の機能性を向上させて、空気圧縮機１を用いた作業を効率的に行うことができる。
【００７６】
本実施の形態の空気圧縮機１においては、そのデジタル表示パネル２ａａは、複数の運転モードを直感的に理解できる文字情報で表現しているため、作業者は直感的に自分の選択したモードを認識することができる。
【００７７】
これにより、これまで運転モードごとに設定した報知用の発光ダイオードに対応して複数表示していた文字情報を、１つのデジタル表示パネル２ａａに集約表示することで、操作パネル（操作部）２の面積を増やすことなく作業者に対して複数の運転モードの文字情報を報知することができる。
【００７８】
これにより、小形の空気圧縮機１であっても、多様な運転モードを選択することで作業効率の向上を図ることができる。
【００７９】
また、モード切替えスイッチ２ｃの報知手段として、少なくとも２色の発光体（発光素子）を備えた発光ダイオード（ＬＥＤ）を使用したことにより、例えば赤、緑、黄（赤＋緑の合成色）、消灯のように、１つの報知部２ａで４つの点灯色を表示することができる。
【００８０】
その結果、多数の運転モードに応じた設定を行うことができる上、選択した運転モードの発光ダイオードによる色の知覚情報と、デジタル表示パネル２ａａによる文字情報という複数の情報を同時に作業者に報知することが可能になり、最小限の部品点数で、運転モード切替えの認知度を向上させることができる。
【００８１】
また、デジタル表示パネル２ａａの文字情報と、発光ダイオード２ａｂ，２ａｃの色による知覚情報とでその報知タイミングを同期させることにより、空気圧縮機１における認知度をさらに向上させることができる。
【００８２】
さらに、セキュリティカード無しでも、数回（例えば６回）は運転できるようにしておき、セキュリティカード無しで運転された場合は、セキュリティカード無しで運転できる残回数（もしくは運転回数）をデジタル表示パネル（文字表示部）２ａａに、電源スイッチ２ｂを押圧して電源が投入されたら表示し、次の操作（スイッチ操作、セキュリティカードを読み込む等）や所定時間経過後に表示を消すようにし、その後、運転モードの文字情報を表示させても良い。
【００８３】
本発明は、上記実施の形態に限定されるものではなく、その要旨を逸脱しない範囲で種々変更可能であることは言うまでもない。
【００８４】
上記実施の形態の空気圧縮機１は、パワーモード、オートモード、省エネモード、静音モードの４種類の運転モードを備えていたが、空気圧縮機１が備える運転モードは、２種類以上であれば何種類であってもよい。
【符号の説明】
【００８５】
１…空気圧縮機、２…操作パネル（操作部）、２ａ…報知部、２ａａ…デジタル表示パネル（文字表示部）、２ａｂ，２ａｃ…発光ダイオード、２ｂ…電源スイッチ、２ｃ…モード切替えスイッチ、３…モータ、４…圧縮機部、５ａ，５ｂ…タンク部、９…制御部、１０…ハンドル（把持部）、１４…圧力センサ（圧力検出部）
【図１】
2016102478.tif 000003
【図２】
2016102478.tif 000004
【図３】
2016102478.tif 000005
【図４】
2016102478.tif 000006
【図５】
2016102478.tif 000007
【図６】
2016102478.tif 000008
【図７】
2016102478.tif 000009
【図８】
2016102478.tif 000010